(57)【要約】  ２つ以上のＬＣタイプの光フェルールを保持する光コネクタが提供される。光コネクタは、外側ボディ、２つ以上のＬＣタイプの光フェルールを収容する内側前部ボディ、光フェルールを嵌合レセプタクルに向けて付勢するためのフェルールバネ、及びフェルールバネを支持するための後部ボディを備えている。外側ボディ及び内側前部ボディは、４つのＬＣタイプの光フェルールが小型フォームファクタプラグ可能（ＳＦＰ）トランシーバフットプリントに収容されるように、又は、８つのＬＣタイプの光フェルールがクワッド小型フォームファクタプラグ可能（ＱＳＦＰ）トランシーバフットプリントに収容されるように、構成されている。嵌合レセプタクル（トランシーバ又はアダプタ）は、レセプタクルフックと、レセプタクルフックを光レセプタクルフックの凹部に挿入することにより、光コネクタが嵌合レセプタクルと接続する際にレセプタクルフックを屈曲位置に収容する開口部を備えたハウジングとを含んでいる。【選択図】図２１Ａ
2020527252.tif 000002
【特許請求の範囲】
【請求項１】
２つ以上のＬＣ型光フェルールを保持するための再構成可能な光コネクタであって、
縦穴を有する取り外し可能な外側ハウジングと；
前記外側ハウジングの前記縦穴に取り外し可能に受け入れられる少なくとも１つの内側前部ボディであって、２つのＬＣ型光フェルールを支持し、開いた側壁を備えた上部及び底部を備え、嵌合レセプタクルからレセプタクルフックを受け取るように構成されたレセプタクルフック凹部を更に備えている内側前部ボディと；
前記光フェルールを前記嵌合レセプタクルに向けて押すためのフェルールバネと；
前記フェルールバネを支持するための後部ボディと
を具備した光コネクタ。
【請求項２】
前記外側ハウジング内に、前記前部ボディを前記外側ハウジングに保持するために内側にリテイナを有するフラップを更に備えている、請求項１に記載の再構成可能な光コネクタ。
【請求項３】
前記前部ボディ内に、前記フェルールバネを互いに分離するための壁を更に備えている、請求項１に記載の再構成可能な光コネクタ。
【請求項４】
前記光コネクタを嵌合部品に挿入する又は取り外すために、外側ハウジング上にプッシュプルタブを更に備えている、請求項１に記載の再構成可能な光コネクタ。
【請求項５】
前記プッシュプルタブは、指又はリリースツールを挿入するための凹部又はリリース穴を含んでいる、請求項４に記載の再構成可能な光コネクタ。
【請求項６】
前記内側前部ボディは、前記後部ボディの受け凹部と配列させるための配列タブを含んでいる、請求項１に記載の再構成可能な光コネクタ。
【請求項７】
前記外側ハウジングは、２つの内側ボディ内に、４つのＬＣ型光フェルールを保持するように構成されている、請求項１に記載の再構成可能な光コネクタ。
【請求項８】
前記外側ハウジングは、４つの内側ボディ内に、８つのＬＣ型光フェルールを保持するように構成されている、請求項１に記載の再構成可能な光コネクタ。
【請求項９】
請求項１に記載の再構成可能な光コネクタで終端する光ケーブル。
【請求項１０】
光ケーブルを再構成する方法であって、
請求項９に記載の光ケーブルを提供することと；
前記外側ハウジングを取り外すことと；
内側前部ボディ、フェルール、フェルールバネ、及び後部ボディを、前記外側ハウジングよりも大きい又は小さいフェルール容量を有している少なくとも１つの第２外側ハウジングに挿入することと
を備えた方法。
【請求項１１】
前記外側ハウジングが２フェルール容量を有し、前記第２外側ハウジングが４フェルール又は８フェルール容量を有している、請求項１０に記載の光ケーブルを再構成する方法。
【請求項１２】
前記外側ハウジングが４フェルール容量を有し、前記少なくとも１つの第２外側ハウジングが２つの第２ハウジングを含み、前記２つの第２ハウジングの各々が２フェルール容量を有している、請求項１０に記載の光ケーブルを再構成する方法。
【請求項１３】
前記外側ハウジングが８フェルール容量を有し、前記少なくとも１つの第２外側ハウジングが４つの第２ハウジングを含み、前記４つの第２ハウジングの各々が２フェルール容量を有している、請求項１０に記載の光ケーブルを再構成する方法。
【請求項１４】
前記外側ハウジングが８フェルール容量を有し、前記少なくとも１つの第２外側ハウジングが２つの第２ハウジングを含み、前記２つの第２ハウジングの各々が４フェルール容量を有している、請求項１０に記載の光ケーブルを再構成する方法。
【請求項１５】
前記外側ハウジングが８フェルール容量を有し、前記少なくとも１つの第２外側ハウジングが３つの第２ハウジングを含み、前記３つの第２ハウジングのうち１つは４フェルール容量を有し、  前記３つの第２ハウジングのうち２つは２フェルール容量を有している、請求項１０に記載の光ケーブルを再構成する方法。
【請求項１６】
２つ以上のＬＣ型光フェルールを保持し、外側ボディと、前記２つ以上のＬＣ型光フェルールを収容する内側前部ボディと、前記光フェルールを嵌合接続に向けて付勢するフェルールバネと、前記フェルールバネを支持する後部ボディとを有する光コネクタであって、
前記外側ボディ及び前記内側前部ボディを、４つのＬＣ型光フェルールを有する２つの光コネクタが小型フォームファクタプラグ可能（ＳＦＰ）トランシーバフットプリントに収容されるように構成することを含んだ点において改善されている、光コネクタ。
【請求項１７】
２つ以上のＬＣ型光フェルールを保持し、外側ボディと、前記２つ以上のＬＣ型光フェルールを収容する内側前部ボディと、前記光フェルールを嵌合接続に向けて付勢するフェルールバネと、前記フェルールバネを支持する後部ボディとを有する光コネクタであって、
前記外側ボディ及び前記内側前部ボディを、合計８つのＬＣ型光フェルールを有する少なくとも２つの光コネクタがクワッド小型フォームファクタプラグ可能（ＱＳＦＰ）トランシーバフットプリントに収容されるように構成することを含んだ点において改善されている、光コネクタ。
【発明の詳細な説明】
【技術分野】
【０００１】
関連出願との相互参照  
この出願は、２０１７年７月１４日に出願された米国仮特許出願第６２／５３２，７１０号、２０１７年８月２４日に出願された第６２／５４９，６５５号、及び２０１８年１１月１７日に出願された第６２／５８８，２７６号の優先権を主張し、これらの開示は参照により組み込まれる。
本開示は、一般に、超小型フォームファクタ光コネクタ、並びに、アダプタ及び光トランシーバ内における関連する接続に関する。
【背景技術】
【０００２】
インターネットの普及は、通信ネットワークの前例のない成長をもたらした。サービスに対する消費者の需要と競争の激化により、ネットワークプロバイダは、コストを削減しながらサービス品質を改善する方法を継続的に見つけていく必要がある。
【０００３】
特定のソリューションは、高密度相互接続パネルの展開を含んでいる。高密度相互接続パネルは、急速に成長するネットワークをサポートするために必要な増加する相互接続量をコンパクトなフォームファクタに統合するように設計することができ、これにより、サービス品質が向上し、フロアスペースやサポートのオーバーヘッドなどのコストが削減される。ただし、特に光ファイバ接続に関連するデータセンタの領域には、依然として改善の余地がある。例えば、コネクタ及びアダプタのメーカーは、デバイスのサイズを小さくすると同時に、展開の容易さ、堅牢性、及び展開後の変更可能性を高めることを常に求めている。特に、既存のデータセンタ機器との下位互換性を提供するために、以前は少数のコネクタに使用されていたのと同じ設置面積で、より多くの光コネクタを収容する必要がある。例えば、現在のフットプリントの１つは、小型フォームファクタプラグ可能（ＳＦＰ）トランシーバフットプリントとして知られている。このフットプリントは、現在、２つのＬＣタイプのフェルール光接続に対応している。しかしながら、同じフットプリント内で４つの光接続（送信／受信の２つのデュプレックス接続）に対応することが望ましい場合がある。別の現在のフットプリントは、クアッド小型フォームファクタプラグ可能（ＱＳＦＰ）トランシーバフットプリントである。このフットプリントは、現在、４つのＬＣタイプのフェルール光接続に対応している。しかしながら、同じフットプリント内でＬＣタイプのフェルールの８つの光接続（送信／受信の４つのデュプレックス接続）に対応することが望ましい場合がある。
【０００４】
データセンタ及びスイッチングネットワークなどの通信ネットワークでは、係合コネクタ間の多数の相互接続が高密度パネル中にコンパクト化される場合がある。パネル及びコネクタの生産者は、コネクタのサイズ及び／又はパネル上の隣接するコネクタ間の間隔を縮小することにより、このような高密度に向けて最適化するかもしれない。どちらの方法もパネルコネクタの密度を高めるには効果的だが、コネクタのサイズや間隔を縮小すると、サポートコストが増加し、サービス品質が低下する可能性がある。
【０００５】
高密度パネル構成では、隣接するコネクタ及びケーブルアセンブリが個々のリリースメカニズムへのアクセスを妨げる場合がある。このような物理的な障害は、ケーブル及びコネクタにかかる応力を最小限に抑えるためのオペレータの能力を妨げる可能性がある。例えば、これらのストレスは、ユーザが密集したコネクタのグループに到り、周囲の光ファイバやコネクタを押して親指と人差し指とで個々のコネクタリリースメカニズムにアクセスするとき等に適用され得る。ケーブル及びコネクタに過度のストレスをかけると、潜在的な欠陥が生じたり、終端の完全性や信頼性が損なわれたり、ネットワークパフォーマンスに重大な混乱が生じる可能性がある。
【０００６】
オペレータは、ドライバなどのツールを使用してコネクタの密集したグループに到達し、リリースメカニズムをアクティブにしようとする場合があるが、隣接するケーブル及びコネクタがオペレータの視線を妨げ、隣接するケーブルを押しのけることなくリリースメカニズムにツールを誘導することが困難になる場合がある。更に、オペレータが明確な視線を持っている場合でも、ツールをリリースメカニズムに誘導するのは時間がかかる場合がある。したがって、ツールの使用は、サポート時間の短縮及びサービス品質の向上に効果的ではない場合がある。
【発明の概要】
【０００７】
２つ以上のＬＣタイプの光フェルールを保持する光コネクタが提供される。光コネクタは、外側ボディ、２つ以上のＬＣタイプの光フェルールを収容する内側前部ボディ、光フェルールを嵌合レセプタクルに向けて付勢するためのフェルールバネ、及びフェルールバネを支持するための後部ボディを備えている。外側ボディ及び内側前部ボディは、４つのＬＣタイプの光フェルールが小型フォームファクタプラグ可能（ＳＦＰ）トランシーバフットプリントに収容されるように、又は、８つのＬＣタイプの光フェルールがクワッド小型フォームファクタプラグ可能（ＱＳＦＰ）トランシーバフットプリントに収容されるように、構成されている。嵌合レセプタクル（トランシーバ又はアダプタ）は、レセプタクルフックと、レセプタクルフックを光レセプタクルフックの凹部に挿入することにより、光コネクタが嵌合レセプタクルと接続する際にレセプタクルフックを屈曲位置に収容する開口部を備えたハウジングとを含んでいる。
【図面の簡単な説明】
【０００８】
【図１Ａ】図１Ａは、従来技術の標準的な６．２５ｍｍピッチのＬＣコネクタＳＦＰの斜視図である。
【０００９】
【図１Ｂ】図１Ｂは、従来技術の標準的な６．２５ｍｍピッチのＬＣアダプタの斜視図である。
【００１０】
【図１Ｃ】図１Ｃは、図１Ｂの従来技術アダプタの上面図である。
【００１１】
【図１Ｄ】図１Ｄは、図１Ｂの従来技術アダプタの正面図であり、６．２５ｍｍピッチを示している。
【００１２】
【図２Ａ】図２Ａは、従来技術のＬＣデュプレックスコネクタの斜視図である。
【００１３】
【図２Ｂ】図２Ｂは、リモートリリースプルタブを備えた従来技術のＬＣデュプレックスコネクタの斜視図である。
【００１４】
【図２Ｃ】図２Ｃは、図２Ａ及び２Ｂに示される実施形態で使用される従来技術のＬＣコネクタの上面図である。
【００１５】
【図２Ｄ】図２Ｄは、図２Ｃの従来技術ＬＣコネクタの側面図である。
【００１６】
【図３】図３は、コネクタの一実施形態の分解図である。
【００１７】
【図４】図４は、コネクタの一実施形態の斜視図である。
【００１８】
【図５】図５は、外部ハウジングが前部ボディから取り外されたコネクタの一実施形態の斜視図である。
【００１９】
【図６】図６は、デュプレックスコネクタの一実施形態の斜視図である。
【００２０】
【図７】図７は、デュプレックスコネクタの別の実施形態の斜視図である。
【００２１】
【図８】図８は、クワッドコネクタの一実施形態の斜視図である。
【００２２】
【図９】図９は、クワッドコネクタの一実施形態の別の斜視図である。
【００２３】
【図１０】図１０は、アダプタタイプの様々な実施形態を示している。
【００２４】
【図１１Ａ】図１１Ａは、アダプタに接続されたコネクタの側面図である。
【００２５】
【図１１Ｂ】図１１Ｂは、アダプタから取り外されつつあるコネクタの側面図である。
【００２６】
【図１２Ａ】図１２Ａは、取り外されつつあるコネクタの外側ハウジングの側面図である。
【００２７】
【図１２Ｂ】図１２Ｂは、前部ボディを示すコネクタの透明な外側ハウジングの斜視図である。
【００２８】
【図１３】図１３は、対応するアダプタに挿入されたクワッドコネクタの一実施形態の斜視図である。
【００２９】
【図１４】図１４Ａ乃至１４Ｃは、コネクタの様々な実施形態を使用したケーブル管理を描いた例である。
【００３０】
【図１５】図１５Ａ及び１５Ｂは、ジャケットごとに複数のファイバストランドを使用するケーブル管理を描いた例である。
【００３１】
【図１６】図１６は、ジャケットごとに複数のファイバストランドを使用するケーブル管理システムの使用形態を描いた例である。
【００３２】
【図１７】図１７は、ジャケットごとに複数のファイバストランドを使用するケーブル管理システムの使用形態を描いた別の例である。
【００３３】
【図１８】図１８Ａ及び１８Ｂは、ＭＴコネクタの一実施形態の様々な図である。
【００３４】
【図１９】図１９Ａ乃至１９Ｄは、可能な代替コネクタ設計を描いた例である。
【００３５】
【図２０】図２０は、２つのコネクタのデュプレックスコネクタから２つのシンプレックスコネクタへの動きを示している。
【００３６】
【図２１Ａ】図２１Ａは、一実施形態によるマイクロ光コネクタの分解図を示している。
【００３７】
【図２１Ｂ】図２１Ｂは、図２１Ａの組み立てられたマイクロ光コネクタの斜視図である。
【００３８】
【図２２】図２２は、図２１Ｂのマイクロ光コネクタの正面図であり、コネクタ全体の寸法とフェルールのピッチを示している。
【００３９】
【図２３Ａ】図２３Ａは、図２１Ｂのマイクロ光コネクタが図２４のアダプタにラッチされている状態の断面図である。
【００４０】
【図２３Ｂ】図２３Ｂは、図２１Ｂのマイクロ光コネクタが図２４のアダプタからアンラッチされている状態の断面図である。
【００４１】
【図２４】図２４は、図２１Ｂのマイクロ光コネクタ用のアダプタの分解図である。
【００４２】
【図２５Ａ】図２５Ａは、組み立てられた図２４のアダプタの断面図である。
【００４３】
【図２５Ｂ】図２５Ｂは、図２４のアダプタハウジングの断面側面図である。
【００４４】
【図２６】図２６は、図２４の組み立てられたアダプタの正面図である。
【００４５】
【図２７Ａ】図２７Ａは、図２１Ａのマイクロ光コネクタの前部ボディの等角図である。
【００４６】
【図２７Ｂ】図２７Ｂは、図２７Ａの前部ボディの右側面図である。
【００４７】
【図２８Ａ】図２８Ａは、図２１Ａのマイクロ光コネクタの後部ボディの等角図である。
【００４８】
【図２８Ｂ】図２８Ｂは、図２８Ａの後部ボディの側面図である。
【００４９】
【図２９Ａ】図２９Ａは、図２１Ａのマイクロ光コネクタの外側ハウジングの等角図である
【００５０】
【図２９Ｂ】図２９Ｂは、図２９Ａの外側ハウジングの正面図である。
【００５１】
【図２９Ｃ】図２９Ｃは、図２９Ａの外側ハウジングの断面図であり、配向凸部の上部を示している。
【００５２】
【図２９Ｄ】図２９Ｄは、図２９Ａの外側ハウジングの内側図である。
【００５３】
【図２９Ｅ】図２９Ｅは、図２９Ａの外側ハウジングの内側図である。
【００５４】
【図３０】図３０は、図２４のアダプタのアダプタフックの側面図である。
【００５５】
【図３１】図３１は、図２１Ｂのマイクロ光コネクタと組み立てられた図２４のアダプタの等角図である。
【００５６】
【図３２Ａ】図３２Ａは、ラッチギャップを示す従来技術コネクタの断面図である。
【００５７】
【図３２Ｂ】図３２Ｂは、図２４のアダプタとラッチされた（左側）及びアンラッチされた（右側）状態における、組み立てられた図２１Ｂのマイクロ光コネクタの断面図である。
【００５８】
【図３３Ａ】図３３Ａは、ＱＳＦＰフットプリントの図２１Ｂのマイクロ光コネクタを示しており、寸法はミリメートル単位で表されている。
【００５９】
【図３３Ｂ】図３３Ｂは、ＳＦＰフットプリントの図２１Ｂのマイクロ光コネクタを示しており、寸法はミリメートル単位で表されている。
【００６０】
【図３４】図３４Ａ乃至３４Ｃは、ラッチ前（図３４Ａ）、ラッチ中（図３４Ｂ）、及びラッチ後（図３４Ｃ）における、図２１Ｂのマイクロ光コネクタと相互作用するアダプタフックを示している。
【００６１】
【図３５】図３５Ａ乃至３５Ｃは、ラッチ前（図３５Ａ）、ラッチ中（図３５Ｂ）、及びラッチ後（図３５Ｃ）における、図２１Ｂのマイクロ光コネクタのサイドフラップ動作を示している。
【００６２】
【図３６Ａ】図３６Ａは、トランシーバ内の複数のマイクロ光コネクタを示している。
【００６３】
【図３６Ｂ】図３６Ｂは、図３６Ａのトランシーバの正面図である。
【００６４】
【図３７】図３７は、更なる実施形態によるマイクロ光コネクタの分解図である。
【００６５】
【図３８】図３８は、図３７のマイクロ光コネクタの前部ボディの等角図である。
【００６６】
【図３９】図３９は、図３７のマイクロ光コネクタの後部ボディの等角図である。
【００６７】
【図４０】図４０Ａ、４０Ｂ、及び４０Ｃは、図３３７の光コネクタの極性を反転させるための技術を示している。
【００６８】
【図４１】図４１は、更なる実施形態によるマイクロ光コネクタの分解図である。
【００６９】
【図４２Ａ】図４２Ａは、図４１のマイクロ光コネクタの前部ボディの等角図である。
【００７０】
【図４２Ｂ】図４２Ｂは、図４２Ａの前部ボディの側面図である。
【００７１】
【図４３】図４３は、図４１のマイクロ光コネクタの後部ボディの等角図である。
【００７２】
【図４４Ａ】図４４Ａは、図２１Ａ、図３７、及び図４１のマイクロ光コネクタの何れかと共に使用され得る外側ハウジングの等角図である。
【図４４Ｂ】図４４Ｂは、図２１Ａ、図３７、及び図４１のマイクロ光コネクタの何れかと共に使用され得る外側ハウジングの等角図である。
【図４４Ｃ】図４４Ｃは、図２１Ａ、図３７、及び図４１のマイクロ光コネクタの何れかと共に使用され得る外側ハウジングの等角図である。
【００７３】
【図４５】図４５は、更なる実施形態によるアダプタの分解図である。
【００７４】
【図４６】図４６は、組み立てられた図４５のアダプタの断面図である。
【００７５】
【図４７】図４７は、別の実施形態によるコネクタの分解図である。
【００７６】
【図４８】図４８は、図４７のコネクタの後部ボディ及び後部ポストの等角図である。
【００７７】
【図４９】図４９は、光ファイバと共に組み立てられた図４７の後部ポストの断面図である
【００７８】
【図５０】図５０は、図４７のコネクタの正面図である。
【００７９】
【図５１】図５１は、図４７のコネクタのブーツの等角図である。
【００８０】
【図５２】図５２は、図４５のアダプタの正面図である。
【発明を実施するための形態】
【００８１】
本開示は、説明される特定のシステム、装置、及び方法に限定されず、これらは異なり得る。本明細書で使用される用語は、特定のバージョン又は実施形態のみを説明するためのものであり、発明の範囲を限定することを意図したものではない。
【００８２】
本明細書において、単数形「ａ」、「ａｎ」、及び「ｔｈｅ」は、文脈が明確にそうでないと示さない限り、複数への参照を含んでいる。別に定義されない限り、本明細書で使用される全ての技術用語及び科学用語は、当業者によって一般に理解されるのと同じ意味を有する。本開示に記載された実施形態の何れも、従来発明のためにそのような開示に先行する権利を与えられないことの承認として解釈されるべきではない。この文書で使用されている「ｃｏｍｐｒｉｓｉｎｇ」という用語は、「含むが、これに限定されない」ことを意味している。
【００８３】
以下の用語は、本出願の目的において、以下に記載される各々の意味を有するものとする。
【００８４】
本明細書で使用される「コネクタ」は、第１のモジュール又はケーブルを第２のモジュール又はケーブルに接続するデバイス及び／又はそのコンポーネントを表す。コネクタは、光ファイバ伝送又は電気信号伝送用に構成することができる。コネクタは、現在既知又は今後開発される任意の適切なタイプとすることができ、例えば、フェルールコネクタ（ＦＣ）、ファイバ分散データインタフェイス（ＦＤＤＩ）コネクタ、ＬＣコネクタ、メカニカルトランスファー（ＭＴ）コネクタ、スクエア（ＳＣ）コネクタ、ＣＳコネクタ、又はストレートチップ（ＳＴ）コネクタであってもよい。コネクタは、一般に、コネクタハウジングボディによって定義されてもよい。幾つかの実施形態において、ハウジングボディには、本明細書に記載の構成要素の何れか又は全てが組み込まれていてもよい。
【００８５】
「光ファイバケーブル」又は「光ケーブル」とは、光ビームで光信号を伝導するための１つ又は複数の光ファイバを含んだケーブルを指す。光ファイバは、ガラス、ガラスファイバ、及びプラスチックなどの適切な透明材料で構成することができる。ケーブルには、光ファイバを囲むジャケット又はシース材料を含めることができる。更に、ケーブルは、ケーブルの一端又は両端のコネクタに接続することができる。
【００８６】
本明細書で説明する様々な実施形態は、一般に、周囲のコネクタを損傷したり、誤って周囲のコネクタを外したり、周囲のコネクタを介した伝送を中断したり等することなく、高密度パネル上で密集したケーブルアセンブリコネクタを取り外すことができるように、リモートリリース機構を提供する。様々な実施形態は、例えば、将来の狭ピッチＬＣＳＦＰ及び将来の狭幅ＳＦＰと共に使用するための狭ピッチＬＣデュプレックスコネクタ及び狭幅マルチファイバコネクタも提供する。リモートリリース機構により、狭ピッチＬＣＳＦＰ及び狭幅マルチファイバＳＦＰの高密度アレイで狭ピッチＬＣデュプレックスコネクタ及び狭幅マルチファイバコネクタを使用することができる。
【００８７】
図１Ａは、従来技術の標準的な６．２５ｍｍピッチのＬＣコネクタＳＦＰの斜視図を示している。ＳＦＰ１００は、デュプレックスコネクタを受け入れるように構成されており、各々がそれぞれのＬＣコネクタを受け入れるための２つのレセプタクル１０２を提供している。ピッチ１０４は、２つのレセプタクル１０２の各中心長手方向軸間の軸間距離として定義される。図１Ｂは、従来技術の標準的な６．２５ｍｍピッチのＬＣアダプタの斜視図である。アダプタ１０６は、デュプレックスコネクタを受け入れるようにも構成されており、各々がそれぞれのＬＣコネクタを受け入れるための２つのレセプタクル１０８を提供している。図１Ｃは、図１Ｂのアダプタ１０６の上面図である。アダプタ１０６のピッチは、アダプタの正面図を示す図１Ｄに示されているように、２つのレセプタクル１０８の各中心長手方向軸間の軸間距離として、ＳＦＰ１００のピッチと同様に定義される。
【００８８】
図２Ａは、従来のＳＦＰ１００及び従来のアダプタ１０６と共に使用され得る従来技術のＬＣデュプレックスコネクタ２００を示している。ＬＣデュプレックスコネクタ２００は、２つの従来のＬＣコネクタ２０２を含んでいる。図２Ｂは、リモートリリースプルタブ２０６を有し、２つの従来のＬＣコネクタ２０８を含んでいる、別の従来技術のＬＣデュプレックスコネクタ２０４を示している。図示されているように、リモートリリースプルタブは、２つのプロング２１０を含み、各プロング２１０は、各ＬＣコネクタ２０８の延長部材２１２に結合するように構成されている。図２Ｃ及び２Ｄは、それぞれ、５．６ｍｍの幅を有する従来のＬＣコネクタ２０８の上面図及び側面図を示しており、更に延長部材２１２を示している。
【００８９】
本明細書で議論されるように、現在のコネクタは、例えば、フットプリントの削減、構造強度の増加、極性変更の可能化等の様々な手段によって改善され得る。本明細書で開示される様々な実施形態は、以下で更に議論されるように、現在の最新技術に対する改善を提供する。
【００９０】
幾つかの実施形態では、図３に示すように、コネクタ３００は、様々な構成要素を備えていてもよい。図３を参照すると、詳細を表示するために、コネクタ３００の例示的な実施形態が分解図で示されている。幾つかの実施形態では、本明細書で更に説明するように、コネクタ３００は、外側ハウジング３０１、前部ボディ３０２、１つ又は複数のフェルール３０３、１つ又は複数のフェルールフランジ３０４、１つ又は複数のバネ３０５、後部ボディ３０６、後部ポスト３０７、圧着リング３０８、及びブーツ３０９を有していてもよい。幾つかの実施形態では、後部ボディ３０６は、前部ボディ３０２の窓／カットアウト３０２．１と連動し得る１つ又は複数の凸部３０６．１を備えていてもよい。これにより、後部ボディ３０６及び前部ボディ３０２を、フェルール３０３、フェルールフランジ３０４、及びバネ３０５の周りにしっかりと固定することができる。図３の各要素は、４つのＬＣタイプの光フェルールを備えた２つの光コネクタが小型フォームファクタプラグ可能（ＳＦＰ）トランシーバフットプリントに収容できるように、又は、合計８つのＬＣタイプの光フェルールを備えた少なくとも２つの光コネクタがクワッド小型フォームファクタプラグ可能（ＱＳＦＰ）トランシーバフットプリントに収容できるように、構成されている。
【００９１】
図４を参照すると、コネクタ４００が組み立てられた状態の実施形態が示されている。幾つかの実施形態では、組み立てられたコネクタは、外側ハウジング４０１、外側ハウジング内に配置された前部ボディ４０２、１つ又は複数のフェルール４０３、１つ又は複数のフェルールフランジ（図示せず）、１つ又は複数のバネ（図示せず）、後部ボディ４０６、後部ポスト（図示せず）、圧着リング（図示せず）、ブーツ４０９、及びプッシュプルタブ４１０を有していてもよい。幾つかの実施形態では、コネクタは、プッシュプルタブ４１０付近の外側ハウジング４０１上の窓４１２及び前部ボディ上の凸部４１３から構成される１つ又は複数のラッチ機構を有していてもよい。窓４１２及び凸部４１３から構成されるラッチ機構により、外側ハウジング４０１が前部ボディ４０２にしっかりと取り付けられる。更なる実施形態では、外側ハウジング４０１は、アダプタ（後述の図１３に示される）からロックタブ又はロック機構を受け入れるための凹部４１１を有していてもよい。外側ハウジング４０１の凹部４１１は、コネクタをアダプタ中へと固定するために、アダプタ（後述の図１３に示される）又はトランシーバレセプタクルと連結するために使用される。当業者によって理解されるように、プッシュプルタブ４１０は、追加のツールを必要とすることなく、コネクタをレセプタクルから取り外すことを可能にする。或いは、プッシュプルタブを取り除き、コネクタを手動で除去することも可能である。１つ又は複数の更なる実施形態において、外側ハウジング４０１は、キー４１４を更に有し得る。キー４１４は、アダプタ又はトランシーバなどのレセプタクルに挿入されると、コネクタを所定の向きに保つことができる。
【００９２】
図５は、本開示の光コネクタの極性を変更する手順を示している。図５に示されているように、幾つかの実施形態では、コネクタ５００のラッチ機構は、２つの主要部分：窓（見えない）及び１つ又は複数の凸部５１３から構成され得る。図５に図示されているように、外側ハウジング５０１は、窓を通って出る凸部５１３によって形成されているラッチ機構を外すことにより、前部ボディ５０２上をスライドするか、又は、取り外し、それにより、窓の後壁に接触するようにできる（ラッチ機構を介して前部ボディに取り付けられている外側ハウジングの図示された例については図４を参照）。幾つかの実施形態において、プッシュプルタブ５１０は、図示されているように、外側ハウジング５０１に恒久的に取り付けられ得る。
【００９３】
前部ボディ５０２は、外側ハウジング５０１から取り外され、矢印５２０で示されているように１８０°回転され、外側ハウジングに再挿入されてもよい。これにより、図５の矢印図に示されているように、前部ボディ５０２の極性の変化が可能になり、したがって、繊細なファイバケーブル及びフェルールを不必要に危険にさらすことなく、フェルールを迅速且つ簡単に切り替えることができる。
【００９４】
幾つかの実施形態では、２つ以上のコネクタを一緒に接続して、構造的完全性を高め、全体的な設置面積を減らし、製造コストを削減することが有益であり得る。したがって、図６に示されているように、コネクタ６００は、幾つかの実施形態では、２つの前部ボディ６０２を保持することができる外側ハウジング６０１を利用していてもよい。様々な他の実施形態が本明細書に開示されており、本明細書に開示された実施形態はすべて、説明目的のためにのみ示される非限定的な例であることに留意されたい。
【００９５】
したがって、図６に示す実施形態は、デュプレックス外部ハウジング６０１を利用し、例えば、単一の外部ハウジング内に６つ又は８つの光コネクタなど、より大きな容量を備えた追加又は代替の実施形態が存在し得る。図６に示されているように、幾つかの実施形態では、外側ハウジング６０１は、それぞれ２つの別個のフェルール６０３を有する２つの前部ボディ６０２を受け入れることができる。図示されているように、前部ボディ６０２は、ラッチ機構６１２及び６１３を介して、外側ハウジング６０１にしっかりと固定され得る。追加の実施形態では、プッシュプルタブ６１０は、図示されているように、単一のタブを使用してアダプタから２つ以上のコネクタをリリースできるように修正することができる。図６に示されているように、単一ボディプッシュプルタブ６１０及び外側ハウジング６０１は、前部ボディ６０２の複数の凸部６１３を受け入れるための２つの窓６１２を有していてもよい。本明細書で論じられるように、外側ハウジング６０１の凹部６１１は、コネクタをアダプタ（後述の図１３に示される）に固定するために使用される。１つ又は複数の更なる実施形態において、コネクタは、図示されているように、個々の後部ボディ６０６及びブーツ６０９（即ち、前部ボディごとに１つの後部ボディ／ブーツ）を有していてもよい。
【００９６】
或いは、図７に示すような幾つかの実施形態では、コネクタ７００は、個々の後部ボディ（例えば図６に示したような）の代わりに、単一のブーツ７０９及びデュプレックス（即ち単一ボディ）後部ボディ７０６を有していてもよい。幾つかの実施形態では、デュプレックス後部ボディ７０６は、図６の個々の後部ボディの寸法とは異なる寸法を有してもよく、例えば、それらは、ブート７０９を出た後にファイバをルーティングする必要性に対応するためにより長くてもよい。本明細書で論じられる他の実施形態と同様に、図７に示されるコネクタは、外側ハウジング（例えばデュプレックス外側ハウジング）７０１、１つ又は複数のフェルール７０３、１つ又は複数の窓７１２を通って出る凸部（図示せず）によって形成される少なくとも１つのラッチ機構、及びプッシュプルタブ７１０もまた含み得る。
【００９７】
前述のように、２つ以上のコネクタを接続して、構造の完全性を高め、全体的な設置面積を削減し、製造コストを削減することが有益な場合がある。したがって、図６と同様に、図８は、幾つかの実施形態において、複数（例えば４つ）の前部ボディ８０２を保持することができる外側ハウジング８０１を利用可能なコネクタ８００を示している。
【００９８】
図８に示されているように、幾つかの実施形態は、各々が１つ又は複数のフェルール８０３を備えた最大４つの前部ボディ８０２を受け入れることができる外側ハウジング８０１を有していてもよい。図示されているように、各前部ボディ８０２は、ラッチ機構８１２及び８１３を介して外側ハウジング８０１にしっかりと固定することができる。追加の実施形態では、プッシュプルタブ８１０は、単一のタブを使用してアダプタから最大４つのコネクタを取り外すことができるように修正することができる。図８に図示されているように、プッシュプルタブ８１０は、４つの凹部８１１を含むことができ、本明細書で説明するように、アダプタ（後述の図１３に示す）又はトランシーバの前部レセプタクル部分などのレセプタクルにコネクタを固定するために使用される。１つ又は複数の更なる実施形態において、コネクタは、図示されているように、個々の後部ボディ８０６及びブーツ８０９（即ち、前部ボディごとに１つの後部ボディ／ブーツ）を有していてもよい。
【００９９】
図８と同様に、図９は、外側ハウジング９０１が、各々が１つ又は複数のフェルール９０３を備えた最大４つの前部ボディ９０２を受け入れることができる実施形態を示している。図示されているように、各前部ボディ９０２は、ラッチ機構９１２及び９１３を介して外側ハウジング９０１にしっかりと固定することができる。追加の実施形態では、プッシュプルタブ９１０は、単一のタブを使用してアダプタから最大４つのＣＳコネクタを取り外すことができるように修正することができる。図９に図示されているように、プッシュプルタブ９１０は、４つの凹部９１１を含むことができ、本明細書で説明するように、アダプタ（後述の図１３に示す）又はトランシーバの光学レセプタクル部分にコネクタを固定するために使用される。図９の実施形態は、単一の後部ボディ９０６及び単一のブーツ９０９を利用していてもよい。１つ又は複数の更なる実施形態において、コネクタは、図示されているように、個々の後部ボディ９０６及びブーツ９０９（即ち、全４つの前部ボディに対して１つの後部ボディ／ブーツ）を有していてもよい。
【０１００】
別の態様では、本開示は、コネクタの外側ハウジングを取り外し、組み立てられたコネクタの残りの部分がより大きな又はより小さな容量を有するハウジングに挿入される、光ケーブルを再構成する方法を提供している。例えば、複数の２フェルール容量ハウジングの外側ハウジングを取り外し、コネクタ内側ボディ及び関連部品を、４フェルール又は８フェルール容量の何れかを有する第２の外側ハウジングに挿入することができる。或いは、４フェルール容量の外側ハウジングを取り外し、内側ボディ及び関連部品を、各々が２フェルール容量を有する２つの第２の外側ハウジングに挿入することもできる。同様に、８フェルール容量の外側ハウジングを取り外して、２つの４フェルール容量ハウジング又は４フェルール容量及び２つの２フェルール容量のハウジングに交換することもできる。このようにして、トランシーバなどの嵌合する光電子部品の容量に合わせて、ケーブルを柔軟に再構成することができる。本開示のこの態様は、図１０に関連して図示されている。
【０１０１】
ここで図１０を参照すると、単一のコネクタ１００２を受け入れる単一のハウジング１００１などの様々な実施形態が存在し得る。２つのコネクタ１００４を収容するデュプレックスハウジング１００３及び／又は最大４つのコネクタ１００６を収容し得るクワッドハウジング１００５などの追加の実施形態も存在し得る。明示的に示されていない様々な他の実施形態が存在し得ることを当業者は理解するべきである。例えば、５、６、７、８、９、１０、又はそれより多いコネクタ用の容量を備えたハウジングが、本明細書に開示された様々な実施形態に利用されてもよい。以下に示すように、アダプタ及びトランシーバなどの光学部品と光電子部品との間でコネクタをグループ化及びグループ化解除できるように、柔軟なハウジング構成が望ましい。
【０１０２】
或いは、幾つかの実施形態では、コネクタは、図７に示されるものと同様に、単一のブーツを備えた１つ又は複数のデュプレックス後部ボディを利用していてもよい。それゆえ、図７と同様に、一実施形態は、フットプリントを更に削減し、ケーブル配線を減らし、コネクタのメンテナンスを容易にすることができる。したがって、１つ又は複数の実施形態は、各々が１つ又は複数のフェルールを備えた最大４つの前部ボディを受け入れることができる外側ハウジング８０１を有していてもよい。幾つかの実施形態では、各前部ボディは、ラッチ機構を介して、外側ハウジングにしっかりと固定されていてもよい。追加の実施形態では、プッシュプルタブは、単一のタブを使用してアダプタから最大４つの前部ボディをリリースすることができるように修正することができる。プッシュプルタブは、外側ハウジングの複数のロックタブを受け入れるための４つの開口部を含んでいてもよい。本明細書で議論されるように、外側ハウジングのロックタブは、コネクタをアダプタ（図１３に示される）又はトランシーバの光レセプタクル部分に固定するために使用される。
【０１０３】
更なる実施形態では、コネクタは、（図９に示すように）単一のブーツを備えた単一のユニボディ後部ボディを利用していてもよい。それゆえ、一実施形態は、フットプリントを更に削減し、ケーブル配線を減らし、コネクタのメンテナンスを容易にすることができる。したがって、１つ又は複数の実施形態は、各々が１つ又は複数のフェルールを備えた最大４つの前部ボディを受け入れることができる外側ハウジング８０１を有していてもよい。本明細書で説明するように、各前部ボディは、ラッチ機構を介して、外側ハウジングにしっかりと固定することができる。追加の実施形態では、プッシュプルタブは、単一のタブを使用してアダプタから最大４つのコネクタを取り外すことができるように修正することができる。プッシュプルタブは、外側ハウジングの複数のロックタブを受け入れるための４つの開口部を含んでいてもよい。本明細書で説明するように、外部ハウジングのロックタブは、コネクタをアダプタに固定するために使用される。
【０１０４】
本開示の光コネクタは全て、レセプタクルに収容されるように構成されている。本明細書で使用される「レセプタクル」という用語は、一般的に、光コネクタを収容するハウジングに関する。レセプタクルは、２つ以上の光コネクタを結合する部品である光学アダプタと、オプトエレクトロニクス部品（例えば光信号を電気信号に変換する部品）と通信するコネクタを保持する光レセプタクルを含むトランシーバとの両方を含んでいる。図１１Ａに示されているように、一実施形態１１００Ａでは、外側ハウジング１１０１は、１つ又は複数の凹部１１１１を備えていてもよい。本明細書で議論され示されているように、１つ又は複数の凹部は、レセプタクル１１１４がコネクタ１１００Ａにしっかりと接続することを可能にし得る。したがって、幾つかの実施形態では、レセプタクル１１１４は、図示されているように、可撓性であり、凹部１１１１の壁にラッチすることによりコネクタ１１００Ａをレセプタクルに固定できるレセプタクルフック１１１５を有していてもよい。このラッチは、外側ハウジング１１０１がレセプタクルに押し込まれたときに行われる。外側ハウジング１１０１の傾斜部分は、レセプタクルフック１１１５が外側ハウジングの前部上にスライドすることを可能にし、それによりコネクタ１１００Ａをレセプタクルに固定する。
【０１０５】
追加的又は代替的に、図１１Ｂに示されるような幾つかの実施形態では、コネクタ１１００Ｂは、方向矢印で示されているようにコネクタをアダプタから引き離すことにより、レセプタクル１１１４から取り外されてもよい。幾つかの実施形態において、プッシュプルタブ１１１０を介して、ユーザによって力が加えられてもよい。或いは、プッシュプルタブが存在しない場合でも、コネクタをレセプタクルから手動で取り外すことができる。図１１Ｂに示されているように、コネクタ１１００Ｂがレセプタクル１１１４から取り外されると、可撓性レセプタクルフック１１１５が分離し、コネクタの端部の斜面を上にスライドして、コネクタをレセプタクルから取り外すことができる。
【０１０６】
ここで図１２Ａ及び１２Ｂを参照すると、本明細書で説明し、先に図５に示したように、前部ボディ１２０２は、外側ハウジング１２０１から取り外すことができる。幾つかの実施形態では、図１２Ａの矢印で示されているように、外側ボディ１２０１の一部を前部ボディ１２０２から柔軟に延ばすことができる。本明細書で説明するように、幾つかの実施形態では、前部ボディ１２０２は、外側ハウジング１２０１上の窓（図示せず）と連動する凸部１２１３を備えていてもよい。したがって、１つ又は複数の窓（図示せず、図４参照）から１つ又は複数の凸部１２１３を除去するように力が外側ハウジング１２０１に加えられると、前部ボディ１２０２が外側ハウジングから取り外されてもよい。
【０１０７】
ここで図１３を参照すると、コネクタ（全体は図示せず）がアダプタ１３１４などのレセプタクルに挿入される実施形態１３００が示されている。この特定の非限定的な例では、コネクタは図８に示されているもの（即ち、それぞれ独自の後部ボディ１３０６及びブーツ１３０９を有する４つの前部ボディを含む）と類似している。しかしながら、図８とは異なり、ここに示す実施形態は、プッシュプルタブごとに２つのラッチタブを操作してコネクタをアダプタ１３１４から取り外すことを可能にするデュプレックスプッシュプルタブシステムの代わりに、４つの個別のプッシュプルタブ１３１０を利用している。
【０１０８】
本明細書では、コネクタ及びそれらのモジュール能力（例えば、単一のハウジングに複数のコネクタを含めること）に関して、様々な利点及び詳細を説明した。フットプリントの削減、構造の改善、及びコストの削減に加えて、本明細書の様々な実施形態は、データセンタ環境におけるケーブル配線の負担を軽減することに関しても有益であり得る。図１４Ａ乃至図１４Ｃに示される例示的な実施形態は、コンパクトな環境で光ケーブルの複雑さを軽減するために使用できるケーブル構成を示している。これらの実施形態では、以下で詳細に議論される図２１Ｂ、図３７、及び図４１の光学コネクタを含む、本開示で説明する光コネクタのいずれかを使用することができる。図１４Ａは、図１３に示すケーブルと同様の２本のデュプレックスケーブルを示している。幾つかの実施形態では、１つ又は複数の取り外し可能なクリップ１４０１を２つ以上のジップケーブルに取り付けて、ジップケーブルが外れないようにしてもよい。これにより、２本以上のケーブルを束ねて、追加のケーブルと絡まるリスクを減らすことができる。図１４Ｂは、ケーブルの束縛を解除することにより、実施形態が２つの個別のコネクタに容易に分離でき、したがって、独立して移動及び接続可能な２つの独立した光ファイバチャネルを迅速且つ容易に作成できることを示す例である。図１４Ｃは、図６及び１４Ａのようなデュプレックスコネクタが２つの個別のコネクタに接続される実施形態を示している。図１０で上に描かれた可変ハウジング構成を通して、図１４Ａのケーブルは、図１４Ｂ又は図１４Ｃのケーブルとして再構成することができる。
【０１０９】
既存のファイバケーブルを結合することに加えて、本明細書の幾つかの実施形態は、新しい４ファイバジップケーブルを利用していてもよい。ここで図１５Ａを参照すると、従来のジップケーブル（即ちジャケット１５２１ごとに単一のファイバストランド１５２０を有するもの）が、ジャケット１５２３ごとに２つのファイバ１５２２が利用される実施形態と比較して示されている。ただし、これは単なる非限定的な例である。幾つかの実施形態では、図９に示されるコネクタの単一のブーツ９０９及びユニボディ後部ボディ９０６を利用するために、例えばジャケットごとに４本のファイバなど、ジャケットごとに複数のファイバを含めることができる。
【０１１０】
説明のみを目的として、マルチストランドケーブルを使用した特定の例が図１６に示されている。例えば、図１８Ａ及び１８Ｂ並びに図１９Ａ乃至図１９Ｄに示されるものなど、多数の代替及び修正が可能である。図示されているように、スイッチ（例えば１００Ｇスイッチ）１６３０は、トランシーバ（例えば１００Ｇトランシーバ）１６３１と共に示されている。トランシーバ１６３１は、デュプレックスコネクタ１６３２を受け取るためのレセプタクルを有している。２つのデュプレックスコネクタ１６３２の各々から、４本のファイバケーブル１６３３が延びて、他の様々なコネクタ及びトランシーバに接続している。幾つかの実施形態では、本明細書で論じられるように、クリップ（例えば取り外し可能なクリップ）１６４０は、２つ以上のケーブル（例えば１６３３）を接続して、ジップケーブルが離れ離れにならないようにしている。図示されているように、１本の４ファイバケーブル１６３３は、２本の２ファイバケーブル１６３４に分割され、その後に各々が単一のシンプレックスコネクタ１６３５に取り付けられ、トランシーバ（例えば２５Ｇトランシーバ）１６３６に配置されている。更に示されているように、４本のファイバケーブル１６３７のうちの１つは、単一のデュプレックスコネクタ１６３８に接続され、次いで、別のトランシーバ（例えば５０Ｇトランシーバ）１６３９に挿入されている。
【０１１１】
追加又は代替の実施形態が図１７に示されている。図示されているように、１つ又は複数のスイッチ（例えば４００Ｇスイッチ）１７３０及び１７３２は、それぞれトランシーバ（例えば４００Ｇトランシーバ）１７３１及び１７３３と共に示されている。第１のトランシーバ１７３１は、２つのシンプレックス（シングル）コネクタ１７３４と１つのデュプレックス（デュアル）コネクタ１７３５とを収容するレセプタクルを有している。２つのシンプレックスコネクタ１７３４の各々から、２つのファイバケーブル１７３６が延びて、他の様々なコネクタ及びトランシーバに接続している。図１４及び図１６と同様に、幾つかの実施形態は、２つ以上のケーブル（例えば１７３６、１７３８など）を接続してジップケーブルが離れ離れにならないことを保証するクリップ（例えば取り外し可能なクリップ）１７４０を有していてもよい。デュプレックスコネクタ１７３５から、４ファイバケーブル１７３７が２本の２ファイバケーブル１７３８に分割され、その後に各々が単一のシンプレックスコネクタにそれぞれ接続され、トランシーバ（例えば４００Ｇトランシーバ）に配置される。
【０１１２】
したがって、本明細書で説明する実施形態は、現在の最新技術に対する改善を可能にする。特定の例として、コネクタは、一般に、３つのタイプの固定ケーブルを有している。更に、一部のケーブルは、分岐している場合がある。そのため、一度取り付けたケーブルを分割したり、ケーブルの極性を変更したりすることはできない。或いは、本明細書で説明する実施形態により、ユーザは、４−ウェイから２−デュプレックス、４−シンプレックスコネクタなどへと変更することができるかもしれない（例えば図２０）。更に、本明細書で議論されるように、個々のコネクタは、配備後であっても、いつでも個々のコネクタに分割することができる。加えて、上記で説明したように、１つ又は複数のフェルール及びファイバを損傷するリスクがないように、コネクタ内で極性を簡単に変更することができる。図示されたコネクタは、単に例示の目的で本明細書で使用されること、及び任意の実施形態で様々な他のコネクタを使用できることにも留意されたい（例えば、図１８Ａ及び１８Ｂに示したようなＭＴコネクタ、並びに、図２１、図３７、及び図４１の光学コネクタなど）。
【０１１３】
図１８Ａ及び１８Ｂは、図３のハウジング３０１と実質的に同様のハウジング内にＭＴフェルール１８１０を含んだ光コネクタを示している。図３の実施形態と同様に、コネクタの様々な特徴は、２つのＭＴタイプの光フェルールを備えた２つの光コネクタが小型フォームファクタプラグ可能（ＳＦＰ）トランシーバフットプリントに収容できるように、又は、合計４つのＭＴタイプの光フェルールを備えた少なくとも４つの光コネクタがクワッド小型フォームファクタプラグ可能（ＱＳＦＰ）トランシーバフットプリントに収容できるように、構成されている。
【０１１４】
図１９Ａ乃至１９Ｄは、プッシュプルタブが光コネクタハウジングに統合されていない、図３の光コネクタの代替実施形態を示している。図１９Ａ及び１９Ｂに示されているように、プッシュプルタブ１９３０は、コネクタハウジングから分離可能な要素である。プッシュプルタブ１９３０は、コネクタをアダプタ又はトランシーバに挿入し及び引き抜くためのラッチ１９１０を作動させる。代替のラッチング機構が図１９Ｃ及び１９Ｄに示されている。ラッチ１９５０には、プッシュプルタブ１９６０によって作動するノッチが含まれている。
【０１１５】
図２０は、４コネクタハウジング（単一ハウジング内の２つのデュプレックスコネクタ）の２つのデュプレックスコネクタへの分解を示している。これは、例えば、図１４Ａに示されるようなコネクタを図１４Ｃに示すようなコネクタへと変更する際に実行され得る。図２０において、２つのデュプレックスコネクタ（４つの光ファイバ）を収容するハウジング２０１０を含んだ光コネクタ２０００が示されている。ハウジング２０１０は取り外され、２つのデュプレックスコネクタ２０２０が残される。次いで、２つのハウジング２０３０が提供され、その後、最初の単一ハウジングコネクタ２０００から２つの個別のデュプレックスコネクタ２０４０が作成される。この再構成可能なハウジングは、例えば、図１６に見られるように、光トランシーバが低速トランシーバと高速トランシーバとの間で相互接続されている場合、ケーブル管理を簡素化する。
【０１１６】
図２１Ａは、分解図で示される光コネクタ２１００の実施形態を示し、一方、図２１Ｂは、組立図における光コネクタ２１００を示している。光コネクタ２１００は、外側ハウジング２１１０、前部ボディ２１１５、１つ又は複数のフェルール２１２２、１つ又は複数のフェルールフランジ２１２４、１つ又は複数のバネ２１２５、後部ボディ２１３０、後部ポスト２１３５、圧着リング２１４０、及びブート２１４５を含んでいてもよい。外側ハウジング２１１０は、前部ボディ２１１５及びフェルールアセンブリ２１２０を収容するための縦穴、相互接続中に使用されるコネクタ配列キー２１０５、コネクタフラップ２１０３、並びに、光コネクタの密な配列における接続時にコネクタ２１００の取り外しを容易にする任意のプルタブ２１０７を含むことができる。任意に、フェルールは、１．２５ｍｍの外径を有するＬＣタイプのフェルールであってもよい。
【０１１７】
従来技術の光コネクタでは、開いた前部ボディ２１１５の代わりに、内部に密閉されたハウジングが使用されていた。前部ボディ２１１５は、この実施形態では、「開放側壁」と呼ばれる側壁を含まない上部及び底部を含んでいる。前部ボディ２１１５を使用することにより、先行技術の内側ハウジング側壁によって占有される空間が利用可能になり、所与のフットプリント内の光コネクタの密度が増加し、先行技術のコネクタよりも有利になる。前部ボディ２１１５と組み合わされた外側ハウジング２１１０は、十分な機械的強度及びフェルール保護を提供し、追加の光コネクタのための空間を有利に提供することが明らかとなった。側壁を除去すると、使用可能なスペースが１〜２ミリメートル増加する。
【０１１８】
この実施形態では、外側ハウジングは、２つの光学フェルール２１２２を保持するように構成されることに留意されたい。通常、２つの光フェルールは、デュプレックスコネクタと呼ばれる光ファイバの「送信」及び「受信」のペアで使用してもよい。しかしながら、外側ハウジングは、用途に応じて、単一の光フェルール、複数の単一の光フェルール、又は複数の対の光フェルールを含む、より多くの又はより少ない光フェルールを保持するように構成されていてもよい。更に、前部ボディ２１１５を外側ハウジング２１１０から取り外して、前部ボディを他の前部ボディと共により大きな外部ハウジングに配置して、以下により詳細に説明する方法でより大きな光コネクタを形成することができる。特に、４フェルール外側ハウジングで２つの前部ボディを使用するか、又は、８フェルール外側ハウジングで４つの前部ボディを使用することができる。
【０１１９】
図２９Ａ及び２９Ｂを参照すると、外側ハウジング２１１０の等角図及び正面図が示されている。図２９Ｂの正面図及び図２９Ｃの断面図に見られるように、コネクタ配向凸部２９１０が、外側ハウジング２１１０の内部に設けられている。コネクタ凸部２９１０は、ハウジングの内部図において更に見られる（図２９Ｅ）。前部ボディが外側ハウジング２１１０の縦穴２１０１内に挿入されると、外側ハウジングコネクタフラップ２１０３は、以下の方法で、外側ハウジング２１１０を前部ボディ２１１５にロックする。前部ボディ２１１５が外側ハウジング２１１０に挿入されると、図２７Ｃに最もよく見られる外側ハウジングロック面２１１４が、図２９Ｄにおける外側ハウジングの内側図に見られる「フラップＡ」とラベルされたコネクタ配向凸部２９１０に係合し、図２９Ｃの挿入図に示されているように、外側ハウジングボディ２１１０から外側にコネクタフラップ２１０３を曲げている。フラップ凸部の嵌合位置は、図２９Ｄにおいて「嵌合箇所Ｂ」として示されている。ロック面２１１４が配向凸部を越えて通過すると、コネクタフラップは、その元の位置に戻り（図２９Ａ）、凸部２９１０がロック面２１１４に係合し、コネクタフラップ２１０３の近位端面が凸部２９１０によって停止されるために、外部ハウジング２１１０からの前部ボディアセンブリの引き込みが防止される。
【０１２０】
図３５Ａ乃至３５Ｃは、極性を逆にするために、又は、マルチコネクタハウジング内の複数のコネクタを集約するために、外側ハウジングから組み立てられた前部ボディを取り外す一連の動作を示している。前部ボディを外側ハウジングから分離するために、図３５Ｂに示されているように、指又はツールを使用してコネクタフラップ２１０３を外側に曲げる。コネクタフラップ２１０３を外側に曲げると、凸部２９１０が前部ボディの外側ハウジングロック面２１１４から外れ、前部ボディ／フェルールアセンブリ２１１５を外側ハウジングから取り外すことができる。これは、コネクタの極性を反転させることが望ましい場合（後述）、又は、複数のコネクタを上述したように大きなコネクタハウジングに集約したい場合に実行することができる。分離された各部品、即ち、その内部でフェルールが組み立てられた前部ボディ２１１５及び外側ハウジング２１１０が、図３５Ｃに示されている。
【０１２１】
幾つかの実施形態では、後部ボディ２１３０は、図２８Ａ及び２８Ｂに最もよく見られる、前部ボディ２１１５中の後部ボディフック窓／カットアウト２１１９と連動し得る１つ又は複数の凸部又はフック２１３４を備えていてもよい。これにより、後部ボディ２１３０及び前部ボディ２１１５を、フェルール２１２２、フェルールフランジ２１２４、及びバネ２１２５の周りにしっかりと固定することが可能になり得る。後部ボディ２１３０は、ケーブル穴２８２０、バネガイド２１３２、及び側面凸部２８１０を含んでいる。
【０１２２】
組み立て中に、フェルールフランジ２１２４は、前部ボディ２１１５のフェルール開口部２１１６と隣り合うフェルールフランジ配列スロット２１１７に嵌合し（図２７Ａ及び２７Ｂ参照）、前部ボディスプリングホルダ２１１８に沿って配置されたスプリング２１２５（予荷重）を圧縮する。バネ２１２５の端部は、バネ張力により、後部ボディ２１３０のバネガイド２１３２（図２８Ａ及び２８Ｂ）に固定されている。図２３Ａ及び図２３Ｂの組み立てられた断面図に見られるよう、バネ２１２５は、フェルール２１２２を嵌合コネクタ又はトランシーバ光学部品と接触させるように配置され、最小の挿入損失を保証する。図２７Ａ及び２７Ｂに更に見られるように、以下に更に詳細に示されているように、前部ボディは、アダプタ又はトランシーバレセプタクルと嵌合するときに、レセプタクルフックリテイナ面２７２０レセプタクルフックを有するレセプタクルフック凹部２７１０を含んでいる。
【０１２３】
バネ２１２５のサイズを小さくすることにより、コネクタのサイズを更に小さくすることができる（図２１を参照）。最大バネ外径２．５ｍｍを使用することにより、フェルールのピッチ、即ち、隣接するフェルール間の間隔は、内側のハウジング壁と隣接するフェルールを分離する壁の取り外しと組み合わせて、２．６ｍｍに縮小することができる。この利点は、コネクタ２１００の前面を示しており、コネクタ全体の寸法とフェルールのピッチを示している図２２に最もよく見られる。フェルールピッチが２．６ｍｍのコネクタサイズは、４．２ｘ８．９６ｘ３０．８５ｍｍ（オプションのプルタブ２１０７及びコネクタアライメントキー２１０５を除く）である。
【０１２４】
図２１Ｂに最もよく見られるように、外側ハウジング２１１０及び前部ボディ２１１５は共に、図２７Ａ及び図２７Ｂ（レセプタクルフック凹部２７１０及びレセプタクルフックリテイナ面２７２０）にも示される（前部ボディ２１１５内の）レセプタクルフック凹部２１７０中にレセプタクルフックを導くために使用されるレセプタクルフックランプ２９４０（外側ハウジング上）を提供している。以下により詳細に議論されるレセプタクルフックは、アダプタ又はトランシーバからのものであり、光コネクタ２１００をそこに固定する。
【０１２５】
光コネクタ２１００は、様々な接続環境で使用することができる。一部のアプリケーションでは、光コネクタ２１００は、他の光コネクタと嵌合する。通常、この嵌合は、アダプタや光トランシーバレセプタクルなどのレセプタクルで発生する。図２４に分解図で示し、図３１に示す例示的なアダプタ２４００は、その中にラッチされた光コネクタ２１００の４つの嵌合対を有している。他の用途では、光信号を電気信号に変換する場合のように、マイクロ光コネクタ２１００は、図３６に示すように、トランシーバ３６００の光レセプタクルと嵌合する。典型的には、トランシーバ３６００は、データセンタ、交換センタ、又は光信号が電気信号に変換される他の任意の場所で見つけることができる。トランシーバは、当技術分野で知られているように、多くの場合、スイッチ又はサーバなどの別の電気デバイスの一部である。この実施形態の接続動作の多くは、アダプタ２４００に関して説明されるが、アダプタ２４００におけるコネクタ保持の説明が適用されるように、実質的に同様の機械的保持機構がトランシーバ３６００のレセプタクル内にトランシーバ３６００内の光コネクタの保持とほぼ同じ方法で配置されることが理解される。トランシーバの光レセプタクルの例は、図３６Ｂ（光コネクタ２１００を保持）に示されており、図３６Ｂに見られるように、接続環境は、アダプタ２４００の半分に実質的に類似している。
【０１２６】
図２４に移ると、コネクタ及びアダプタ、又は、コネクタ及びトランシーバの全体的な光学アセンブリの更なるサイズ削減は、アダプタ２４００に関して説明される様々な接続メカニズムを通じて得られるが、トランシーバ３６００の前部エンド内の光学接続機能にも適用される。アダプタ２４００は、その中に配置されたアダプタ配列アセンブリ２４３０を有するアダプタハウジング２４０２を含んでいる。アダプタ配列アセンブリ２４３０は、配列スリーブホルダ２４４２の配列スリーブ開口部２４４０内に配置された配列スリーブ２４１０を含んでいる。アダプタ配列アセンブリは、図２１Ｂの前部ボディコネクタフック凹部２７１０を通して光コネクタ２１００を把持するレセプタクルフック２３０２を更に含んでいる。図３０に示されているように、レセプタクルフック２３０２は、内面３１１０を含んでいる。アダプタハウジング２４０２は、図２１Ａのコネクタ整合キー２１０５と嵌合するコネクタ配列スロット２４０３を更に含んでいる。コネクタ２１００は、フレックスタブ２４０１、カットアウト２４５６、マウントプレート２４５２、及びパネルフック２４９０も含んだアダプタハウジング２４０２のコネクタ開口部２４０５を通して受け入れられる。アダプタ配列アセンブリ２４３０をアダプタハウジング２４０２に組み立てるために、アダプタハウジングフック２４３２が提供される。アダプタハウジングフック２４３２は、ハウジングアダプタフック開口部に受け入れられる。
【０１２７】
なお、アダプタ２４００に関する接続機構の上記の説明は、トランシーバ３６００のレセプタクルに関して実質的に同様の方法で適用され得る。特に、トランシーバ３６００のレセプタクルは、レセプタクル配列アセンブリが内部に配置されたレセプタクルハウジングを含んでいてもよい。レセプタクル配列アセンブリは、配列スリーブホルダの配列スリーブ開口部内に配置された配列スリーブを含んでいる。レセプタクル配列アセンブリは、図２１Ｂの前部ボディコネクタフック凹部２７１０を通して光コネクタ２１００を把持するレセプタクルフックを更に含んでいる。図３０に示されているように、レセプタクルフック２３０２は、内面３１１０を含んでいる。レセプタクルハウジングは、図２１Ａのコネクタ配列キーと嵌合するコネクタ配列スロットを更に含んでいる。コネクタ２１００は、フレックスタブ、カットアウト、マウントプレート、及びパネルフックも含んだレセプタクルハウジングのコネクタ開口部を通して受け入れられる。レセプタクルハウジングにレセプタクル配列アセンブリを組み立てるために、レセプタクルハウジングフックが用意されている。レセプタクルハウジングフックは、ハウジングレセプタクルフック開口部に受け入れられる。
【０１２８】
光コネクタ及び関連する嵌合部品のサイズを更に小さくするために、アダプタハウジング２４０２は、図２５Ａ及び及び図２５Ｂに見られるレセプタクルフック開口部２４２０を含んでいる。レセプタクルフック開口部２４２０は、コネクタ２１００でラッチする前にレセプタクルフック２３０２が上方に曲がるときに必要なクリアランスに対応している。傾斜した内面３１１０を有するレセプタクルフック２３０２とレセプタクルフック開口部２４２０との相互作用は、図３２Ｂ及び図３４Ａ乃至Ｃにおいて最もよく見られる。ラッチする前（図３４Ａ）では、レセプタクルフック２３０２は、レセプタクル（アダプタ又はトランシーバ）内で撓んでいない（アンフレックス）状態にある。コネクタ２１００がアダプタハウジング２４０２又はトランシーバに挿入されると、レセプタクルランプ２４９０がレセプタクルフック内面３１１０を押し、レセプタクルフック２３０２をレセプタクルフック開口部２４２０に押し込む。開口部を提供しない場合、レセプタクルフック２３０２の屈曲に対応するために、追加のクリアランスを提供する必要がある。この追加の必要なクリアランスは、図３２Ａの従来技術のコネクタ／アダプタに示されている。図３２Ａに示されているように、従来技術のコネクタフックを収容するために、従来技術では、コネクタラッチギャップ３２１０を設けなければならず、従来技術のコネクタ／アダプタアセンブリの全体的な設置面積が増加していた。本開示におけるレセプタクルフック開口部２４２０を設けることにより、約２．２５ｍｍの貴重なフットプリント面積が得られ、これを用いてコネクタ密度を高めることができる。
【０１２９】
アダプタサイズの別の改善は、隣接するコネクタ間の先行技術のアダプタ壁を取り除くことにより得られる。これは、図２６に示されている組み立てられたアダプタ２４００の正面図において最もよく見られる。図示されているように、フェルール配列スリーブ２４１０のペアは、隣接するコネクタ間のピッチが４．３５ｍｍのコネクタギャップ２６１０によってのみ分離されている。アダプタのサイズは１９．０ｘ１０．７１ｘ３２．５ｍｍです（アダプタフランジ２４６０を除く）である。図２６には、コネクタ配列スロット２４０３、配列スリーブホルダ２４４２、及びレセプタクルフック２３０２の正面図も示されている。
【０１３０】
図３１は、その中でラッチされた４対の嵌合コネクタ２１００を備えた組み立てられたアダプタ２４００を示している。なお、ラッチされた位置では、レセプタクルフック２３０２は、レセプタクルフック開口部２４２０中まで延びていない。これは、図２５Ａの組み立てられたアダプタ２４００の断面図で更に見ることができる。コネクタ配列キー２１０５は、コネクタ配列スロット２４０３内に配置されている。図２３Ａの断面図に見られるように、プッシュプルタブ２０１７は、コネクタブーツ２１４５を越えて延び、タブを容易に把持してコネクタを取り外すためのクリアランスを提供していてもよい。図３１でも見られるのは、ラック又は他の機器との相互作用のためのアダプタフレックスタブ２４０１及びパネルフック２４９０である。
【０１３１】
上述の様々な特徴により、標準のトランシーバフットプリントコネクタスペースに提供される光コネクタ２１００の密度は倍になる。例えば、１４×１２．２５ｍｍの小型フォームファクタプラグ可能（ＳＦＰ）フットプリントでは、図３３Ｂに見られるように、外径１．２５ｍｍの４つのＬＣタイプフェルール２１２２を有する２つのコネクタ２１００を収容することができる。同様に、１３．５×１９ｍｍのクワッド小型フォームファクタプラグ可能（ＱＳＦＰ）フットプリントでは、図３３Ａに見られるように、合計８つのＬＣ型フェルール２１２２を有する４つのコネクタ２１００を収容することができる。更に、送信及び受信ペアでコネクタを提供することにより、上記の図１６及び１７で示されているように、光ルーティングの柔軟性が向上する。
【０１３２】
図３７に移ると、光コネクタの別の実施形態が示されている。この実施形態では、各要素の最後の２桁は、図２１Ａ以降の光コネクタの同様の要素に対応している。図３７では、コネクタ３７００は、外側ハウジング３７１０、前部ボディ３７１５、１つ又は複数のフェルール３７２２、１つ又は複数のフェルールフランジ３７２４、１つ又は複数のバネ３７２５、後部ボディ３７３０、後部ポスト３７３５、圧着リング３７４０（そこから伸びる任意の熱収縮チューブとともに描かれている）、及びブート４７４５を含んでいてもよい。外側ハウジング３７１０は、前部ボディ３７１５及びフェルール３７２２を収容するための縦穴３７０１、相互接続中に使用されるコネクタ配列キー３７０５、コネクタフラップ３７０３、並びに、光コネクタの密な配列における接続時にコネクタ３７００の取り外しを容易にする任意のプルタブ３７０７を含むことができる。任意に、フェルールは、１．２５ｍｍの外径を有するＬＣタイプのフェルールであってもよい。
【０１３３】
図３８には、前部ボディ３７１５の等角図が示されている。この実施形態では、後部ボディフックカットアウト３８１９は前方に移動されており、利点として、側面荷重環境で組み立てられたコネクタを強化している。後部ボディの受け凹部と嵌合するために、配列タブ３８９５が提供されている。レセプタクルフック凹部３９１０は、上記の図２１Ａの凹部と実質的に同様の方法で動作する。フェルールフランジの配列スロット３８１７も用意されている。
【０１３４】
図３９には、後部ボディ３７３０が示されており、整合タブ３８９５を受け入れるための整合タブ凹部３９９７が示されている。後部ボディフックカットアウト３８１９で相互接続するための前部ボディフック３９３４は、後部ボディの主要部分から延長フックアーム３９９６を通って外向きに延びている。延長されたフックアーム３９９６及び配列タブ３８９５により、荷重がコネクタ全体に均等に再分散されるため、側面荷重時の破損が減少し、後部ポストへのストレスが軽減される。
【０１３５】
図４０Ａ乃至４０Ｃに示されているように、組み立てられた前部ボディ３７１５は、外側ハウジング３７１０から取り外され、矢印で示されているように１８０°回転され（図４０Ｂ）、外側ハウジングに再挿入（図４０Ｃ）されていてもよい。これにより、前部ボディ３７１５の極性を変更できるため、繊細なファイバケーブル及びフェルールを不必要に危険にさらすことなく、フェルールをすばやく簡単に切り替えることができる。図３５Ａ乃至３５Ｃに関して前に説明したように、コネクタフラップ３７０３は、外側に曲げられて、前部ボディを外側ハウジングからリリースする。
【０１３６】
図４１に移ると、光コネクタの別の実施形態が示されている。この実施形態では、各要素の最後の２桁は、図２１Ａ及び３７のマイクロ光コネクタの同様の要素に対応している。図４１では、コネクタ４１００は、外側ハウジング４１１０、前部ボディ４１１５、１つ又は複数のフェルール４１２２、１つ又は複数のバネ４１２５、後部ボディ４１３０、圧着リング４１４０、及びブート４１４５を含んでいてもよい。外側ハウジング４１１０は、コネクタフラップ４１０３及びオプションのプルタブ４１０７を含み、光コネクタの高密度アレイで接続されたときにコネクタ４１００の取り外しを容易にすることができる。任意に、フェルールは、１．２５ｍｍの外径を有するＬＣタイプのフェルールであってもよい。
【０１３７】
図４２Ａに示されているように、この実施形態の前部ボディ４０１５は、前部ボディが組み立てられるときに、フェルールとバネとの間に介在する中間壁４２６０を含んでいる。この中間壁は、スプリングが互いに絡み合ってコネクタを拘束し、光ファイバを破損する可能性を減らしている。また、前部ボディ４０１５は、図４２Ｂの側面図に見られるように、配列カットアウトガイド４６２５を含んでいる。配列のカットアウトは、コネクタの組み立て中に後部ボディ４０３０を前部ボディ４０１５に導き、更に、前部ボディ及び後部ボディ４０３０のコネクタ破損又は切断につながる側面負荷を更に低減する。
【０１３８】
図４３の拡大図に示される後部ボディ４０３０は、図４２Ｂの配列カットアウトガイド４２６５に適合する配列ガイド４３７７を含んでいる。また、壁構造４３７８は、バネの過剰圧縮を防ぐために前部ボディを停止し、側面荷重の下での強度を提供している。
【０１３９】
図４４Ａ乃至４４Ｃに示されている外側ハウジングに対する様々な修正は、図２１、３７及び４１又は先述の実施形態に示された光コネクタの何れかと共に使用することができる。図４４Ａにおいて、プッシュプルタブ３７０７は、リリース凹部４４７３を含み得る。リリース凹部４４７３により、隣接するコネクタに影響を与えることなしに、ツール又は指の爪を挿入して、アダプタ又はトランシーバからコネクタを取り外すことが可能となる。同様に、図４４Ｂは、プッシュプルタブ３７０７のリリース穴４４９９を示しており、アダプタ又はトランシーバからコネクタを取り外すための抽出ツールの挿入を可能にしている。図４４Ｃは、ツール又は指を挿入してフラップ３７０３を曲げ、極性変更又は前部ボディをより大きな外部ハウジング内の他の前部ボディと集約するときに前部ボディアセンブリを取り外すのを容易にするために、より大きな１ｍｍのカットアウトサイズを有する修正コネクタフラップ３７０３を示している。
【０１４０】
アダプタ／トランシーバレセプタクルの別の実施形態が図４５に示されている。ラベル付けされていない要素は、図２４に描かれている要素と実質的に類似している。この図では、アダプタハウジングフック４５３２がレセプタクルフック４５０２と共に見られる。図４６の組み立てられたアダプタの断面図に移ると、これらの要素の係合を見ることができる。
【０１４１】
光コネクタ４７００の別の実施形態が図４７に示されている。図４７の光コネクタは、外側ハウジング４７１０、前部ボディ４７１５、フェルール４７２２、バネ４７２５、後部ボディ４７３０、後部ポスト４７３５、圧着リング４７４０、及びブーツ４７４５を含んでいる。ここでは、後部ボディ４７３０が強調されている。後部ボディ４７３０のより詳細な図が図４８に示されている。この実施形態では、全体のコネクタプロファイルを約０．５ｍｍ狭くするために、後部ポストフランジは、実質的に長方形の形状を有している。後部ポストオーバーモールディング４８５９は、後部ポストフランジ４８５７に対応し、後部ポスト破損の可能性を低減する。後壁４８５３の長さは、１．５ｍｍから３ｍｍに延長され、コネクタ全体の横荷重強度が向上している。クリンプリングの位置決め４８５５は、光ファイバケーブルからのアラミドファイバの保持を改善し、後部ポストのケーブル保持を改善するために、以前の実施形態と逆になっている。
【０１４２】
図４８の後部ポストにより、多くの利点が達成される。コネクタ強度の増加に加えて、図４９に示すように、より長いファイバ経路４９０１が提供される。前の実施形態よりも約１．５ｍｍ長いこの延長されたファイバ経路は、ファイバが光ファイバケーブルから分割されるときに緩やかな曲線を可能にし、ファイバの挿入及びリターンロスを改善する。図４９において、後壁４８５３は、後部ボディ４７３０の一部として見ることができる。
【０１４３】
この実施形態の様々な修正を考慮して、図５０は、３．８５ｍｍの全体的な縮小コネクタ幅を示すコネクタ４７００正面図を示している。このようなサイズの縮小により、４つの光コネクタ（合計８つのフェルール）をトランシーバ又は１６ｍｍのコネクタフットプリント（許容範囲を含む）に収容することができる。したがって、本発明のコネクタを使用して、ＱＳＦＰフットプリント内の８ＬＣフェルール収容ファイバを接続することができる。
【０１４４】
光コネクタに必要なスペースを更に減らすために、コネクタ４７００のブーツの側面の厚さを減らすことができる。図５１に示される側面厚さ減少５１０３は、両側のブーツの厚さを狭くして、ブーツに必要なスペースをコネクタ４７００の３．８５ｍｍプロファイルまで減らしている。したがって、４つのコネクタが、ＱＳＦＰトランシーバのフットプリントに収まる。このフットプリントは、図５２のアダプタ正面図に示されており、上記のように、アダプタの正面図及びトランシーバの正面図は、光学的な観点からは実質的に類似している。図５２において、アダプタの内壁は、１７．４ｍｍから１６ｍｍに縮小されている。図４７以降の実施形態に示されている全ての修正は、４つのコネクタが図５２のプロファイルに適合することを可能にする。
【０１４５】
上記の詳細な説明では、本明細書の一部を形成する添付図面を参照している。図面においては、通常、文脈からそうでないことが明示されていない限り、同様の記号は同様のコンポーネントを示している。詳細な説明、図面、及び特許請求の範囲に記載されている例示的な実施形態は、発明の外延を限定することを意図していない。本明細書に提示されている主題の精神又は範囲から逸脱することなく、他の実施形態を使用することができ、他の変更を加えることができる。本明細書において一般的に記載され、図面に示されている本開示の態様は、多種多様な異なる構成で配置、置換、組み合わせ、分離、及び設計することができ、それらはすべて明示的に企図されている。
【０１４６】
本開示は、様々な態様の例示として意図されており、本出願に記載される特定の実施形態に関して限定されるべきではない。当業者には明らかであるように、その精神及び範囲から逸脱することなく、多くの修正及び変更を行うことができる。本明細書に列挙されたものに加えて、本開示の範囲内の機能的に同等の方法及び装置は、前述の説明から当業者には明らかである。そのような修正及び変形は、添付の特許請求の範囲内に含まれることが意図されている。本開示は、添付の特許請求の範囲の条件によってのみ制限されるものであり、かかる特許請求の範囲が権利を有する均等物の全範囲も含まれる。本開示は、特定の方法、試薬、化合物、組成物、又は生物系に限定されず、これらは当然ながら変化し得る。また、本明細書で使用される用語は、特定の実施形態のみを説明するためのものであり、限定することを意図するものではない。
【０１４７】
本明細書における実質的に任意の複数形及び／又は単数形の使用に関して、当業者は、文脈及び／又は応用に適切なように、複数から単数へ及び／又は単数から複数へと翻訳することができる。本明細書では、明確にするために、様々な単数形／複数形の置換を明示的に説明することがある。
【０１４８】
一般に、本明細書及び特に添付の特許請求の範囲（例えば、添付の特許請求の範囲の本文）で使用される用語は、一般に「オープン」な用語として意図されている。例えば、「ｉｎｃｌｕｄｉｎｇ」という用語は「含むがこれに限定されない」と解釈されるべきであり、「ｈａｖｉｎｇ」という用語は「少なくとも有する」と解釈されるべきであり、「ｉｎｃｌｕｄｅｓ」という用語は「含むがこれに限定されない」と解釈される等である。様々な構成、方法、及びデバイスは、様々なコンポーネント又はステップを「ｃｏｍｐｒｉｓｉｎｇ」する（「含むが、これに限定されない」という意味として解釈される）という観点から説明されている。組成、方法、及びデバイスは、様々なコンポーネント又はステップを「ｃｏｎｓｉｓｔ  ｅｓｓｅｎｔｉａｌｌｙ  ｏｆ」又は「ｃｏｎｓｉｓｔ  ｏｆ」することもでき、そのような用語は、実質的に閉じたメンバーのグループを定義すると解釈されるべきである。更に、当業者は、特定の数の導入されたクレーム引用が意図される場合、そのような意図はクレームに明示的に列挙され、そのような記述がない場合にはそのような意図は存在しないことを更に理解するであろう。例えば、理解を助けるために、以下の添付のクレームには、クレームの特定事項を導入するために「少なくとも１つ」及び「１つ又は複数の」という導入フレーズの使用が含まれる場合がある。しかしながら、そのような表現の使用は、不定冠詞「ａ」又は「ａｎ」によるクレームの特定事項の導入が、そのような導入されたクレームの特定事項を含む特定のクレームを、そのような特定事項を１つだけ含む実施形態に限定することを意味すると解釈されるべきではない。これは、同じクレーム中に「１つ又は複数の」又は「少なくとも１つ」の導入フレーズと「ａ」又は「ａｎ」などの不定冠詞とが含まれる場合でも同様である（例えば、「ａ」及び／又は「ａｎ」は「少なくとも１つ」又は「１つ又は複数の」と解釈されるべきである）。クレームの特定事項を導入するために使用される定冠詞の使用についても同じことが当てはまる。更に、特定の数の導入されたクレームの特定事項が明示的に列挙されている場合でも、当業者は、そのような列挙が、少なくとも列挙された数を意味する（例えば、他の修飾なしで単に「２つの列挙」がされた場合、少なくとも２つの列挙、又は２つ又はそれ以上の列挙を意味する）と解釈されるべきであることを認識するであろう。また、「Ａ、Ｂ、及びＣの少なくとも１つ等」に類似した慣用句が使用される場合、一般に、このような構造は、当業者が慣例を理解するような意味で意図されている（例えば、「Ａ、Ｂ、及びＣの少なくとも１つを有するシステム」には、Ａだけ、Ｂだけ、Ｃだけ、ＡとＢとが一緒、ＡとＣとが一緒、ＢとＣとが一緒、及び／又はＡとＢとＣとが一緒の場合等が含まれるが、これらに限定されない）。「Ａ、Ｂ、又はＣの少なくとも１つ等」に類似した慣用句が使用される場合、一般に、そのような構造は、当業者が慣例を理解するような意味で意図されている（例えば、  「Ａ、Ｂ、又はＣの少なくとも１つを有するシステム」には、Ａのみ、Ｂのみ、Ｃのみ、ＡとＢとが一緒、ＡとＣとが一緒、ＢとＣとが一緒、及び／又はＡとＢと���とが一緒の場合等が含まれるが、これらに限定されない）。また、明細書、特許請求の範囲、図面の何れにせよ、２つ以上の代替用語を提示する任意の分離語及び／又は句は、用語のうちの１つ、用語のうちの何れか、又は用語の両方を含める可能性を企図すると理解されるべきであることを当業者は更に理解するであろう。例えば、フレーズ「Ａ又はＢ」は、「Ａ」又は「Ｂ」又は「Ａ及びＢ」の可能性を含むと理解される。
【０１４９】
加えて、本開示の特徴又は態様がマーカッシュグループに関して説明される場合、当業者は、それにより、マーカッシュグループの個々のメンバー又はメンバーのサブグループに関しても本開示が説明されていることを認識するであろう。
【０１５０】
当業者に理解されるように、書面による説明の提供などのあらゆる目的のために、本明細書に開示されている全ての範囲は、全ての可能なサブレンジ及びそのサブレンジの組み合わせをも包含している。リストされた範囲は、少なくとも半分、３分の１、４分の１、５分の１、１０分の１などに分解された同じ範囲を充分に説明し、可能にするものとして容易に認識することができる。非限定的な例として、本明細書で説明される各範囲は、下位３分の１、中位３分の１、及び上位３分の１等に容易に分解することができる。当業者に理解されるように、「〜以下」及び「少なくとも」などの全ての用語は、列挙された数を含み、その後上述したサブ範囲に分割可能な範囲を指している。最後に、当業者に理解されるように、範囲には各々の個々のメンバーが含まれる。したがって、例えば、１〜３セルのグループは、１、２、又は３セルのグループを指す。同様に、例えば、１〜５個のセルを有するグループは、１、２、３、４、又は５個のセルを有するグループを指す。
【０１５１】
上記で開示された並びにそれ以外の様々な特徴及び機能又はその代替物は、他の多くの異なるシステム又は用途に組み合わせることができる。様々な現在予見できない又は予期しない代替、修正、変形、又は改良が当業者によって続いて行われ得る。そして、それらの各々も、本明細書で開示された実施形態に含まれることが意図される。
【図１Ａ】
2020527252.tif 000003
【図１Ｂ】
2020527252.tif 000004
【図１Ｃ】
2020527252.tif 000005
【図１Ｄ】
2020527252.tif 000006
【図２Ａ】
2020527252.tif 000007
【図２Ｂ】
2020527252.tif 000008
【図２Ｃ】
2020527252.tif 000009
【図２Ｄ】
2020527252.tif 000010
【図３】
2020527252.tif 000011
【図４】
2020527252.tif 000012
【図５】
2020527252.tif 000013
【図６】
2020527252.tif 000014
【図７】
2020527252.tif 000015
【図８】
2020527252.tif 000016
【図９】
2020527252.tif 000017
【図１０】
2020527252.tif 000018
【図１１Ａ】
2020527252.tif 000019
【図１１Ｂ】
2020527252.tif 000020
【図１２Ａ】
2020527252.tif 000021
【図１２Ｂ】
2020527252.tif 000022
【図１３】
2020527252.tif 000023
【図１４】
2020527252.tif 000024
【図１５】
2020527252.tif 000025
【図１６】
2020527252.tif 000026
【図１７】
2020527252.tif 000027
【図１８】
2020527252.tif 000028
【図１９】
2020527252.tif 000029
【図２０】
2020527252.tif 000030
【図２１Ａ】
2020527252.tif 000031
【図２１Ｂ】
2020527252.tif 000032
【図２２】
2020527252.tif 000033
【図２３Ａ】
2020527252.tif 000034
【図２３Ｂ】
2020527252.tif 000035
【図２４】
2020527252.tif 000036
【図２５Ａ】
2020527252.tif 000037
【図２５Ｂ】
2020527252.tif 000038
【図２６】
2020527252.tif 000039
【図２７Ａ】
2020527252.tif 000040
【図２７Ｂ】
2020527252.tif 000041
【図２８Ａ】
2020527252.tif 000042
【図２８Ｂ】
2020527252.tif 000043
【図２９Ａ】
2020527252.tif 000044
【図２９Ｂ】
2020527252.tif 000045
【図２９Ｃ】
2020527252.tif 000046
【図２９Ｄ】
2020527252.tif 000047
【図２９Ｅ】
2020527252.tif 000048
【図３０】
2020527252.tif 000049
【図３１】
2020527252.tif 000050
【図３２Ａ】
2020527252.tif 000051
【図３２Ｂ】
2020527252.tif 000052
【図３３Ａ】
2020527252.tif 000053
【図３３Ｂ】
2020527252.tif 000054
【図３４】
2020527252.tif 000055
【図３５】
2020527252.tif 000056
【図３６Ａ】
2020527252.tif 000057
【図３６Ｂ】
2020527252.tif 000058
【図３７】
2020527252.tif 000059
【図３８】
2020527252.tif 000060
【図３９】
2020527252.tif 000061
【図４０】
2020527252.tif 000062
【図４１】
2020527252.tif 000063
【図４２Ａ】
2020527252.tif 000064
【図４２Ｂ】
2020527252.tif 000065
【図４３】
2020527252.tif 000066
【図４４Ａ】
2020527252.tif 000067
【図４４Ｂ】
2020527252.tif 000068
【図４４Ｃ】
2020527252.tif 000069
【図４５】
2020527252.tif 000070
【図４６】
2020527252.tif 000071
【図４７】
2020527252.tif 000072
【図４８】
2020527252.tif 000073
【図４９】
2020527252.tif 000074
【図５０】
2020527252.tif 000075
【図５１】
2020527252.tif 000076
【図５２】
2020527252.tif 000077
【国際調査報告】
2020527252.tif 000078
2020527252.tif 000079
2020527252.tif 000080